(57)【特許請求の範囲】
【請求項１】
本体の上面に配置し被加熱物を載置するトッププレートと、このトッププレートの上面に対角線上に並べて配置された鍋載置部と、この鍋載置部と対向し前記トッププレートの下方に設けられた加熱コイルと、前記トッププレートの前部に位置し前記加熱コイルの火力などの設定を行う操作表示部と、前記トッププレートの表面にインクで印刷された説明表示部とを備えた誘導加熱調理器において、
前記操作表示部は、前記トッププレートの前側に設けられた前記加熱コイルの設定を行う前側操作表示部にのみ揚げ物操作表示部及び火力／温度操作表示部が設けられ、
前記説明表示部は、奥側に警告表示部と注意表示部が記載され、手前側に取扱表示部が記載され、
前記取扱表示部には揚げ物調理を行う際に必要な専用天ぷら鍋の購入情報が記載され、
前記揚げ物操作表示部及び火力／温度操作表示部、前記トッププレートの前側に設けられた前記加熱コイルの上方に設けられた前側鍋載置部及び前記専用天ぷら鍋の購入情報が、前記トッププレートの左右の片側一方に手前側から奥側に向かってこの順に並べて配置されたことを特徴とする誘導加熱調理器。
【請求項２】
請求項１記載の誘導加熱調理器において、
前記説明表示部は前記警報表示部と前記注意表示部を横に並列に配置し、手前側に前記取扱表示部を配置したことを特徴とする誘導加熱調理器。
【請求項３】
請求項１又は２に記載の誘導加熱調理器において、
前記取扱表示部の最も手前側に前記専用天ぷら鍋に関する相談表示を配置したことを特徴とする誘導加熱調理器。
【請求項４】
請求項１乃至３のいずれか１項に記載の誘導加熱調理器において、
前記取扱表示部に二次元コードを記載し、この二次元コードから前記専用天ぷら鍋に関する問合せ先部署のホームページが使用者の携帯電話に表示されるようにしたことを特徴とする誘導加熱調理器。
【発明の詳細な説明】
【技術分野】
【０００１】
本発明は、キッチンに組み込まれる誘導加熱調理器に関する。
【背景技術】
【０００２】
従来、この種の誘導加熱調理器は、本体の上面にトッププレートを設け、本体にトッププレートの上面に配置された誘導加熱調理の制御命令を入力する操作部と、その操作部に近接して配置する表示部と、トッププレートの下方の本体内に複数個の加熱コイルを備える。そして、その複数個の加熱コイルを駆動するインバータ部と、駆動を制御する制御部と、加熱コイルと本体内部を冷却するための冷却ファンが備えられている構造のものが知られている。
【０００３】
トッププレート上方に載置された被加熱物である鍋は、本体に設けられた電源スイッチをオンすることにより制御部、インバータ部に電源投入後、操作部により制御命令を入力して加熱コイルを駆動させて加熱調理を行う。
【０００４】
家庭用でトッププレート幅が６０ｃｍ以上の３口型の誘導加熱調理器では、天ぷらなどの揚げ物調理において、本体の温度センサで鍋の温度を検知して加熱を制御する動作が広く用いられている。
【０００５】
そして、安全性の観点から本体の温度センサで鍋の温度を検知して加熱する動作に最適の専用天ぷら鍋を本体の付属品としているものが多い。そのため、揚げ物調理には、専用天ぷら鍋以外の使用を禁止しているものもある。
【０００６】
前記した家庭用の３口型の誘導加熱調理器の場合は、購入者と使用者が略同一なので、本体と、本体に添付される取扱説明書と、専用天ぷら鍋が一対となって設置場所に保管される。使用者が揚げ物調理をするときには、専用天ぷら鍋を使用することが十分期待できる。
【０００７】
一方、単身者向けの賃貸住宅や短期賃貸住宅では調理場が小さいため、トッププレート幅が４５cmの２口型の誘導加熱調理器に需要がある。これらは、専用天ぷら鍋を付属していないものがほとんどである。
【０００８】
それは賃貸住宅では、本体の購入者は物件の所有者であり使用者は入居者となり、次々と代わる入居者は本体を使い回しし、仮に専用天ぷら鍋を付属しても、前入居者が使用した油まみれの鍋を次の入居者が流用するには抵抗があると考えられるためである。そのため、揚げ物調理をする使用者は専用天ぷら鍋を必要に応じて調達するものである。また、入居者が代わるので、本体に添付される取扱説明書が本体設置場所から紛失することもある。
【０００９】
そのため、例えば特許文献１のように、トッププレートには、縦長の注意表示部を設け、そこに調理に使用する鍋の重さや形状などをインクで印刷されたものがある。
【００１０】
また、特許文献２のように、突沸や揚げ物調理に関する注意事項を簡潔表示した簡潔注意表示部をトッププレートの鍋載置部より前側に複数個所設け、トッププレート後部左右に注意表示部と警告表示部を設けたものがある。
【先行技術文献】
【特許文献】
【００１１】
【特許文献１】特開２００７−１６２９６８号公報
【特許文献２】特開２０１０−２１８７３５号公報
【発明の概要】
【発明が解決しようとする課題】
【００１２】
上記背景技術にある、単身者向けの賃貸住宅や短期賃貸住宅の小型調理場に設置される２口型の誘導加熱調理器では専用天ぷら鍋を付属していない。そのため、本体の温度センサで鍋の温度を検知して加熱する動作に最適の専用天ぷら鍋を使って揚げ物調理をするには、専用天ぷら鍋の販売店、専用天ぷら鍋の型番、希望小売価格、問合せ先部署、電話番号を調べて調達する必要がある。
【００１３】
しかし、トッププレートに示す警告表示は、揚げ物調理を行なうときの事項であって、専用天ぷら鍋の販売店、専用天ぷら鍋の型番、希望小売価格、問合せ先部署、電話番号を全て一括して示していない。そのため、本体に添付する取扱説明書で調べる必要があり、手間がかかる。
【００１４】
まして、複数の入居者を経る間に、取扱説明書が紛失した場合には、専用天ぷら鍋の販売店、専用天ぷら鍋の型番、希望小売価格、問合せ先部署、電話番号に関する情報を得られないという問題がある。
【００１５】
また、揚げ物調理に関して注意する情報を、トッププレートの手前と奥側に分散して表示したものでは、複数個所を見ないと、揚げ物調理に関して注意する情報を把握できないという問題がある。
【００１６】
本発明の目的は、次々と入居者が変わる単身者向けの賃貸住宅や短期賃貸住宅に設置されて誘導加熱調理器であっても、専用の天ぷら鍋を購入するための情報を簡単に入手できる誘導加熱調理器を提供することにある。
【課題を解決するための手段】
【００１７】
上記目的は、本体の上面に配置し被加熱物を載置するトッププレートと、このトッププレートの上面に対角線上に並べて配置された鍋載置部と、この鍋載置部と対向し前記トッププレートの下方に設けられた加熱コイルと、前記トッププレートの前部に位置し前記加熱コイルの火力などの設定を行う操作表示部と、前記トッププレートの表面にインクで印刷された説明表示部とを備えた誘導加熱調理器において、前記説明表示部は、奥側に警告表示部と注意表示部を記載し手前側に取扱表示部を記載したことにより達成される。
【００１８】
また上記目的は、前記取扱表示部には揚げ物調理を行う際に必要な専用天ぷら鍋の購入情報を記載することが好ましい。
【００１９】
また上記目的は、前記説明表示部は前記警報表示部と前記注意表示部を横に並列に配置し、手前側に前記取扱表示部を配置することが好ましい。
【００２０】
また上記目的は、前記取扱表示部の最も手前側に前記専用天ぷら鍋に関する相談表示を配置することが好ましい。
【００２１】
また上記目的は、前記取扱表示部にニ次元コードを記載し、この二次元コードから前記専用天ぷら鍋に関する問合せ先部署のホームページが使用者の携帯電話に表示されるようにすることが好ましい。
【発明の効果】
【００２２】
本発明によれば、次々と入居者が変わる単身者向けの賃貸住宅や短期賃貸住宅に設置されて誘導加熱調理器であっても、専用の天ぷら鍋を購入するための情報を簡単に入手できる誘導加熱調理器を提供できる。
【図面の簡単な説明】
【００２３】
【図１】本発明の実施例に係る誘導加熱調理器をキッチンに組込んだ外観斜視図である。
【図２】本発明の実施例に係る誘導加熱調理器の斜視図である。
【図３】本発明の実施例に係る誘導加熱調理器のトッププレート組を外した本体内部の構造図である。
【図４】本発明の実施例に係る誘導加熱調理器の加熱コイルを外した本体内部の構造図である。
【図５】本発明の実施例に係る誘導加熱調理器の上面図である。
【図６】本発明の実施例に係る誘導加熱調理器の操作表示部の上面図である。
【図７】本発明の実施例に係る誘導加熱調理器の説明表示部の上面図である。
【図８】本発明の実施例に係る誘導加熱調理器に指定する専用天ぷら鍋の斜視図である。
【図９】本発明の実施例に係る誘導加熱調理器の説明表示部と使用者の携帯電話を使う通信の概略図である。
【発明を実施するための形態】
【００２４】
以下、本発明の一実施例を上記した図１から図９に従って説明する。
【実施例１】
【００２５】
本実施例は、システムキッチンに組み込むビルトイン型について説明する。
【００２６】
図１は本発明の実施例に係る誘導加熱調理器をキッチンに組込んだ外観斜視図である。  
図２は本発明の実施例に係る誘導加熱調理器の斜視図である。
【００２７】
図１，図２において、１はキッチンで、小型調理場に設置され、カウンタートップ１ａに設けた取り付け穴１ｄの上面から誘導加熱調理器の本体７（以下、本体７という）が落とし込まれている。本体７はフランジ部７ａ（図３に示す）でカウンタートップ１ａに支えられ、その後金具３１のネジを締めによってカウンタートップ１ａの下側に押し当てて固定されている。本体７の上面にはトッププレート２が水平に配置されている。
【００２８】
トッププレート２は、幅は略45ｃｍで、耐熱性の高い結晶化ガラス製の厚さ約４mmのもので構成され、鉄等の磁性体鍋等の調理容器が載置されて調理される。トッププレート２は、鍋を載置する位置を円で示す前側鍋載置部５と奥側鍋載置部６が設けられている。
【００２９】
前側鍋載置部５と奥側鍋載置部６に対応するようにトッププレート２の下方で本体７内の上部に環状に形成された前側加熱コイル８と奥側加熱コイル９（図３に示す）が夫々本体７の左前と右後で対角に配置されており、トッププレート２に載置された鍋等を誘導加熱する。
【００３０】
トッププレート２の周囲は枠２ａで覆われ、枠２ａの前部には操作表示部４が、後部には着脱自在の排気カバー３が備えられている。これらトッププレート２、枠２ａ、排気カバー３、操作表示部４によってトッププレートクミ１９は構成されている。
【００３１】
図３は本発明の実施例に係る誘導加熱調理器のトッププレート組を外した本体内部の構造図である。  
図４は本発明の実施例に係る誘導加熱調理器の加熱コイルを外した本体内部の構造図である。
【００３２】
図３，４において、前側加熱コイル8と奥側加熱コイル9には、それぞれ中心部に1個、内コイルと外コイルの間隙に3個の温度センサ25が取り付けられている。本体７の前側中央部には、本体７底面より吸気して本体7の後向きに送風するメインファン１６が設けられている。このメインファンによって送風された空気はダクト１１ａで誘導されてインバータ部１１を冷却する。
【００３３】
前側加熱コイル８の下部には本体７の底面より吸気して、前側加熱コイル8を専用に冷却する前側ファン１７が設けられている。また、奥側加熱コイル９の下部には本体７の底面より吸気して、奥側加熱コイル９を専用に冷却する奥側ファン１8が設けられている。
【００３４】
本体７の後部には、メインファン１６、前側ファン１７，奥側ファン１８より流れる冷却風を本体７外へ排出させるための排気口２４が設けられている。排気口２４より排出された冷却風は、図１，図２の枠２ａに設けた排気カバー３から上方に向けて排気される。
【００３５】
インバータ部１１は、前加熱コイル８の下部に配置され、制御部１０は奥側加熱コイル９の下部に配置されている。奥側加熱コイル９の下には、制御部１０と一体となった電源部３０が配置されている。
【００３６】
インバータ部１１は、前側加熱コイル８と奥側加熱コイル９を駆動し、発熱部品であるヒートシンク１１ｂを前側加熱コイル８と衝突しないように前側加熱コイル８の奥側に搭載されている。ダクト１１ａによってヒートシンク１１ｂなど放熱が大きい部品が覆われて冷却風の流れを整えて効率よい冷却ができるような構造となっている。
【００３７】
制御部１０は、図１，図２に示した操作表示部４による操作入力、前側加熱コイル８と奥側加熱コイル９に備えられた温度センサ２５、インバータ部１１に備えられたセンサなどの入力により駆動するインバータ部１１と操作表示部４の表示とを制御する。
【００３８】
図５は本発明の実施例に係る誘導加熱調理器の上面図である。  
図６は本発明の実施例に係る誘導加熱調理器の操作表示部の上面図である。
【００３９】
図５，図６において、トッププレートクミ１９の上面の配置について説明する。  
トッププレート２の前側に位置する操作表示部４は、左から、前側操作表示部４７、奥側操作表示部４５、電源操作表示部５０の順に配置されている。
【００４０】
前側操作表示部４７は、運転の開始停止を操作する切スタートキー３５、開始停止を知らせる加熱ＬＥＤ５７、火力を選ぶ弱火キー３４、中火キー３３、強火キー３２、揚げ物操作表示部４１、火力／温度操作表示部４２を備えている。揚げ物操作表示部４１は、揚げ物をするときに選択する揚げ物キー２９と揚げ物を選択したことを知らせる揚げ物ＬＥＤ３９とで構成されている。
【００４１】
火力／温度操作表示部４２は火力や温度の操作をする火力／温度下げキー６１と火力／温度上げキー６0と火力と温度を調整することを知らせる調整ＬＥＤ３８と火力と温度を表示する火力／温度ＬＥＤ３６とで構成されている。
【００４２】
奥側操作表示部４５は、運転の開始停止を操作する切スタートキー２６、開始停止を知らせる加熱ＬＥＤ５６、火力を選ぶ弱火キー５５、中火キー５４、強火キー５３、火力操作表示部５８、タイマー運転操作表示部４６を備えている。
【００４３】
火力操作表示部５８は、火力の操作をする火力下げキー５２と火力上げキー５１と火力を調整することを知らせる調整ＬＥＤ３７と火力を表示する火力ＬＥＤ２７で構成する。
【００４４】
タイマー運転操作表示部４６は奥側操作表示部４５の左端に配置し、時間上げキー４９、時間下げキー４８、７セグ時間表示２０とタイマーキー４０で構成されている。電源操作表示部５０は、電源の入り切りを操作する電源キー４４と通電状態を示す電源ＬＥＤ２８とで構成されている。
【００４５】
すなわち、前側操作表示部４７にのみ、揚げ物操作表示部４１と火力／温度操作表示部４２を設け、揚げ物調理は前側鍋載置部５で調理できるようになっている。
【００４６】
揚げ物調理では、火力／温度操作表示部４２で設定した温度を維持できるように前側加熱コイル８に備える温度センサ２５を用いて制御部１０がインバータ部１１の火力の調整する動作である。
【００４７】
図５に示すように、トッププレート２の前後対角に配置した前側鍋載置部５と奥側鍋載置部６によってトッププレート２は、前後左右に略４分割されている。その４分割の一つで前側鍋載置部５の奥側にトッププレート２の略１／４の面積に説明表示部７０を設ける。
【００４８】
トッププレート２は汚れを目立たなくかつ外観向上を目的として、全体に模様が印刷されているが、補助表示部４３と説明表示部７０は、模様を無くした無地で、前側鍋載置部５を示す線と同じインクで文字や記号が印刷されている。このインクは、ガラス成分を備えた熱膨張を抑えた素材の特殊なインクである。
【００４９】
図７は本発明の実施例に係る誘導加熱調理器の説明表示部の上面図である。  
図８は本発明の実施例に係る誘導加熱調理器に指定する専用天ぷら鍋の斜視図である。
【００５０】
図７，図８において、説明表示部７０は、奥側から警告表示部７１、注意表示部７２、取扱表示部７３を並べて表示する。  
なお、警告表示部７１と注意表示部７２を横に並列に配置し、その手前側に取扱表示部７３を設けたものでも構わない。
【００５１】
警告表示部７１には、揚げ物調理時の警告内容や、本体７とトッププレート２に関する警告内容、使用中の警告内容が記載されている。特に、揚げ物調理時の警告内容には揚げ物キー２９を使用すること、専用天ぷら鍋７６の型式を指定してその専用天ぷら鍋７６を使用すること、油量の限定、油煙の危険性などについて表示している。
【００５２】
取扱表示部７３は、チャイルドロックの操作方法、トッププレート２のお手入れに関して表示するだけでなく、商品に関するご相談表示部７５や専用天ぷら鍋７６の購入情報表示部７４などを備えている。
【００５３】
取扱表示部７３の最も手前側に商品に関するご相談表示部７５を設けて、問合せ先部署と電話番号を表示する。使用者が問合せ先部署の電話番号に電話をかけることで、問合せ先部署の対応システムまたは対応者によって、品物やサービスを注文する方法など使用者が欲しい情報を得ることができる。
【００５４】
商品に関するご相談表示部７５に隣接して奥側には、専用天ぷら鍋の購入情報表示部７４を設け、専用天ぷら鍋の販売店、専用天ぷら鍋の型式、希望小売価格、価格を設定した時期および価格改定に関する但し書きを表示する。
【００５５】
図８に示した専用天ぷら鍋７６は、鉄製の鍋で誘導加熱に適していて耐熱塗装を施し、指定油量を示す油量ラインが設けられている。そして、前記した揚げ物キー２９を使って揚げ物調理に適した鍋である。
【００５６】
ここで、単身者向けの賃貸住宅や短期賃貸住宅の小型調理場に専用天ぷら鍋７６を付属されていない環境で、本実施例の誘導加熱調理器が設置されている場合に揚げ物調理を行おうとしたときについて以下説明する。
【００５７】
使用者は、操作表示部４の中で前側操作表示部４７だけに揚げ物操作表示部４１があることを一目で認識し、前側操作表示部４７が前側鍋載置部５に対応していることが配置から即座に認識できる。更に、前側鍋載置部５の奥に説明表示部７０を即座に認識できる。そしての警告表示部７１に揚げ物調理時の警告内容を認識でき、専用天ぷら鍋７６が付属されていないので専用天ぷら鍋７６を調達する必要があることが認識できる。
【００５８】
そして、取扱表示部７３の専用天ぷら鍋の購入情報表示部７４で、専用天ぷら鍋７６の販売店、専用天ぷら鍋７６の型式、希望小売価格、価格の時期および価格改定に関する但し書きの情報を得て、商品に関するご相談表示部７５の問合せ先部署と電話番号により問合せ先を確認することができる。
【００５９】
そして使用者が問合せ先部署の電話番号に電話をかけることで、問合せ先部署の対応システムまたは対応者によって、専用天ぷら鍋７６を注文する方法など使用者が欲しい情報を得ることができる。
【００６０】
また、取扱表示部７３に二次元コードを設け、読み取りリーダなどによって更に詳細な情報を表示させたり特定のホームページに誘導したりしても良い。
【００６１】
図９は本発明の実施例に係る誘導加熱調理器の説明表示部と使用者の携帯電話を使う通信の概略図である。  
図９において、トッププレート２の前側鍋載置部５の奥に説明表示部７０を設け、この説明表示部７０の手前側に取扱表示部７３が設けられている。この取扱表示部７３には専用天ぷら鍋の購入情報表示部７４の表示と二次元コード８０を表示する商品に関するご相談表示部７５を設けている。
【００６２】
ニ次元コード８０は、トッププレート２の汚れや磨耗によるニ次元コード８０の損傷を少なくするため、取扱表示部７３の中でトッププレート２の端部側の枠２ａ側に寄せて設ける。
【００６３】
使用者の携帯電話８１のカメラ８１ａでニ次元コード８０を読み取って問合せ先部署に送信すると問合せ先部署のホームページ８２に繋がる。使用者の携帯電話８１の表示８３に表示されるホームページ８２の内容から、専用天ぷら鍋７６の注文をする方法など使用者が欲しい情報を得ることができるようになっている。
【００６４】
上記したように本実施例によれば、単身者向けの賃貸住宅や短期賃貸住宅の小型調理場に設置される２口型の誘導加熱調理器に専用天ぷら鍋７６を付属していなくても良い。
【００６５】
つまり本実施例では、トッププレート２にインクで印刷した説明表示部７０に、問合せ先部署、電話番号を表示する商品に関するご相談表示部７５と、専用天ぷら鍋の販売店、専用天ぷら鍋の型式、希望小売価格、価格の時期および価格改定に関する但し書きを表示する専用天ぷら鍋の購入情報表示部を設けた。これにより使用者は専用天ぷら鍋に関する情報を簡単に調べることができ、簡単に調達することができる。
【００６６】
トッププレート２に問合せ先部署、電話番号、専用天ぷら鍋の販売店、専用天ぷら鍋の型式、希望小売価格、価格の時期および改定に関する但し書きの情報を表示しているので本体に添付する取扱説明書でこれらの情報を調べる必要がなく手間が省ける。
【００６７】
複数の入居者を経る間に、取扱説明書が紛失した場合でも、トッププレート２の取扱表示部７３を見れば、専用天ぷら鍋７６に関する情報が得られる。
【００６８】
また、揚げ物操作表示部４１と火力／温度操作表示部４２を備える前側操作表示部４７の奥側に前側加熱コイル８を配置し、その前側加熱コイル８上方でトッププレート２に示す前側鍋載置部５の奥側に説明表示部７０を配置しているので、左右に視線を動かさずに一方を見るだけで、揚げ物操作表示部４１と前側鍋載置部５と取扱表示部７３の関連が把握でき、専用天ぷら鍋７６に関する情報と揚げ物調理時の警告内容が把握できる。
【００６９】
以上のごとく、本発明は単身者向けの賃貸住宅や短期賃貸住宅の小型調理場に設置される２口型の誘導加熱調理器に専用天ぷら鍋を付属していなくとも、トッププレートにインクで印刷した説明表示部に問合せ先部署、電話番号を表示する商品に関するご相談表示部と、専用天ぷら鍋の販売店、専用天ぷら鍋の型式、希望小売価格、価格の時期および価格改定に関する但し書きを表示する専用天ぷら鍋の購入情報表示部を設けたので、調べることができて調達することができる。
【００７０】
また、トッププレートに問合せ先部署、電話番号、専用天ぷら鍋の販売店、専用天ぷら鍋の型式、希望小売価格、価格の時期および改定に関する但し書きの情報を表示しているので本体に添付する取扱説明書でこれらを調べる必要がなく手間が省ける。
【００７１】
また、複数の入居者を経る間に、取扱説明書が紛失した場合でも、トッププレートの取扱表示部を見れば、専用天ぷら鍋に関する情報を得られる。
【００７２】
そのため、本体の温度センサで鍋の温度を検知して加熱する動作に最適の専用天ぷら鍋を使って、安全に揚げ物調理ができる。
【００７３】
さらに、揚げ物操作表示部と火力／温度操作表示部を備える前側操作表示部の奥側に前側加熱コイルを配置し、その前側加熱コイル上方でトッププレートに示す前側鍋載置部の奥側に説明表示部を配置しているので、左右に視線を動かさずに一方を見るだけで、揚げ物操作表示部と前側鍋載置部と取扱表示部と関連が把握でき、専用天ぷら鍋に関する情報と揚げ物調理時の警告内容が把握できる。
【符号の説明】
【００７４】
２…トッププレート、５…前側鍋載置部、７…本体、８…前側加熱コイル、９…奥側加熱コイル、４１…揚げ物操作表示部、４２…火力／温度操作表示部、４５…奥側操作表示部、４７…前側操作表示部、７０…説明表示部、７１…警告表示部、７２…注意表示部、７３…取扱表示部、７５…商品に関するご相談表示部、７４…専用天ぷら鍋の購入情報表示部、７６…専用天ぷら鍋、８０…ニ次元コード、８２…問合せ先部署ホームページ。
【図１】
0005529793.tif 000002
【図２】
0005529793.tif 000003
【図３】
0005529793.tif 000004
【図４】
0005529793.tif 000005
【図５】
0005529793.tif 000006
【図６】
0005529793.tif 000007
【図７】
0005529793.tif 000008
【図８】
0005529793.tif 000009
【図９】
0005529793.tif 000010